(57)【要約】【課題】ワイヤーハーネス上へのグロメットの位置決めを、石鹸水等の潤滑剤を用いることなく容易に行なうことのできるグロメットの位置決め治具を提供すること。【解決手段】パネル嵌合部１１と、ワイヤーハーネスＷの外径よりも小径に形成された蛇腹状チューブ１２と、を有するグロメット１０のチューブ１２を、長手方向に収縮させた状態で拡開機で拡開させ、その状態でグロメット１０の内部にワイヤーハーネスＷを挿通させた後、拡開機からグロメット１０およびワイヤーハーネスＷを取り外して、ワイヤーハーネスＷ上の特定位置にチューブの先端部１２ａを位置決めする際に用いるグロメットの位置決め治具２０であって、ワイヤーハーネスの外径よりも大きい内径と適用ワイヤーハーネスの外径よりも小さい間口を有し、且つ、チューブの先端部自体の径方向収縮力に打ち勝つ強度を有して、チューブの先端部内周に装着される断面Ｃ字状の短尺の筒体２１と、該筒体２１を支持するハンドル２３と、からなる。【選択図】図５
2008042968.tif 000002
【特許請求の範囲】
【請求項１】
パネル貫通孔に嵌合される大径筒状のパネル嵌合部と、少なくとも先端部が自由状態において適用ワイヤーハーネスの外径よりも小径に形成された蛇腹状チューブと、を有するグロメットの前記チューブを、長手方向に収縮させた状態で拡開機により拡開させ、その状態で前記グロメットの内部に前記適用ワイヤーハーネスを挿通させた後、前記拡開機から前記グロメットおよび前記適用ワイヤーハーネスを取り外して、前記適用ワイヤーハーネス上の特定位置に前記チューブの先端部を位置決めする際に用いる位置決め治具であって、
前記適用ワイヤーハーネスの外径よりも大きい内径と前記適用ワイヤーハーネスの外径よりも小さい間口を有し、且つ、前記チューブの先端部自体の径方向収縮力に打ち勝つ強度を有して、前記チューブの先端部内周に装着される断面Ｃ字状の短尺の筒体と、
前記筒体を支持するハンドルと、
を備えることを特徴とするワイヤーハーネスに対するグロメットの位置決め治具。
【請求項２】
前記断面Ｃ字状の短尺の筒体の周方向中間部に、前記間口を広げる際にヒンジ作用をなす、外側に凸の断面半円形状の撓み部が設けられていることを特徴とする請求項１に記載したワイヤーハーネスに対するグロメットの位置決め治具。
【請求項３】
パネル貫通孔に嵌合される大径筒状のパネル嵌合部と、少なくとも先端部が自由状態において適用ワイヤーハーネスの外径よりも小径に形成された蛇腹状チューブと、を有するグロメットの前記チューブを、長手方向に収縮させた状態で拡開機で拡開させるチューブ拡開工程と、
前記チューブ拡開工程にて前記チューブを拡開させた状態で、前記グロメットの内部に前記適用ワイヤーハーネスを挿通させるハーネス挿通工程と、
前記拡開機から前記グロメットおよび前記適用ワイヤーハーネスを取り外す前に、前記適用ワイヤーハーネスの外周に、当該適用ワイヤーハーネスの外径よりも大きい内径と前記適用ワイヤーハーネスの外径よりも小さい間口を有し、且つ、前記チューブの先端部自体の径方向収縮力に打ち勝つ強度を有して、前記チューブの先端部内周に装着される断面Ｃ字状の短尺の筒体と、該筒体を支持するハンドルと、を備える位置決め治具の前記筒体を装着しておく治具装着工程と、
前記グロメットに前記適用ワイヤーハーネスを挿通させた後、前記グロメットのチューブの先端部を前記位置決め治具の筒体の外周に仮嵌合させた状態で、前記拡開機から前記グロメット、前記適用ワイヤーハーネス、および前記位置決め治具の組体を取り外すチューブ仮嵌合工程と、
前記グロメットのチューブの先端部を前記位置決め治具の筒体の外周に仮嵌合させた状態で、前記位置決め治具のハンドルを把持して、前記チューブの先端部を前記位置決め治具の筒体で支持しながら前記チューブを伸長させて、前記チューブの先端部を前記適用ワイヤーハーネス上の特定位置まで相対的に移動するチューブ相対移動工程と、
前記チューブ相対移動工程後、前記チューブの先端部を丸めることで、前記位置決め治具の筒体を外に露出させ、その状態で当該筒体の間口を広げながら、前記適用ワイヤーハーネスから前記位置決め治具を取り外す治具取り外し工程と、
前記丸めたチューブの先端部を元に戻すことで、前記適用ワイヤーハーネスの外周に前記チューブの先端部を密着嵌合させるチューブ先端密着嵌合工程と、
を有することを特徴とするワイヤーハーネスに対するグロメットの位置決め方法。
【発明の詳細な説明】
【技術分野】
【０００１】
本発明は、適用ワイヤーハーネスの外径よりも小径に形成された蛇腹状チューブの先端部を、ワイヤーハーネス上の特定位置に位置決めする際に用いられるグロメットの位置決め治具、および、その治具を用いた位置決め方法に関するものである。
【背景技術】
【０００２】
例えば、自動車のダッシュパネルの貫通孔を通してワイヤーハーネスを配索する場合、主に防塵、防水、遮音、等の目的で、パネル貫通孔とワイヤーハーネスの間にグロメットを配設している。その場合のグロメットは、パネル貫通孔に嵌合される大径筒状のパネル嵌合部と、少なくとも先端部が自由状態において適用ワイヤーハーネスの外径よりも小径に形成された長尺の蛇腹状チューブと、を有するゴム製あるいは柔軟樹脂製のものである。
【０００３】
そのようなグロメットをワイヤーハーネスの外周に装着する場合には、特許文献１に記載のように、拡開機を用いて行なっている。図８〜図１０はその一例を示している。図において、１は拡開機、２はその拡開爪、１０はグロメットで、パネル嵌合部１１と蛇腹状チューブ１２とを有している。
【０００４】
蛇腹状チューブ１２の内径は、防水等の目的でワイヤーハーネスとの密着性を増すために、適用するワイヤーハーネスＷの外径よりも小径に形成されており、まず、図８に示すように、チューブ１２を長手方向に収縮させた状態で、チューブ１２の内周に拡開爪２を挿入して、チューブ１２を拡開する。次に、その状態でグロメット１０の内部にワイヤーハーネスＷを挿通させた後、図１０に示すように、拡開機からグロメット１０およびワイヤーハーネスＷを取り外して、チューブ１２を伸長させ、ワイヤーハーネスＷ上の特定位置にチューブ１２の先端部１２ａを移動させて位置決めする。
【０００５】
【特許文献１】特開平１１−２１５６５９号公報
【発明の開示】
【発明が解決しようとする課題】
【０００６】
ところで、グロメット１０のチューブ１２の先端部１２ａの内径は、水の侵入防止や位置ずれ防止の目的で、適用ワイヤーハーネスＷの外径よりも小さく設定されている上、グロメットの材質はゴム等の摩擦抵抗の大きいものであるため、チューブ１２の拡開を解除した状態で、チューブ１２の先端部１２ａをワイヤーハーネスＷ上の特定位置に位置合わせする作業は困難が伴っていた。特に、図１０に示すように、ワイヤーハーネスＷに対してチューブ１２の先端部１２ａを引き込む方向（矢印Ｌ方向）への移動は容易であるものの、押し込む方向（矢印Ｒ方向）への移動は非常に困難であった。尚、石鹸水等の潤滑剤を用いれば、位置合わせはできるものの、面倒であった。
【０００７】
本発明は、上述した事情に鑑みてなされたものであり、その目的は、ワイヤーハーネス上へのグロメットの位置決めを、石鹸水等の潤滑剤を用いることなく容易に行なうことのできるグロメットの位置決め治具、および、その治具を用いた位置決め方法を提供することにある。
【課題を解決するための手段】
【０００８】
前述した目的を達成するため、本発明に係るワイヤーハーネスに対するグロメットの位置決め治具は、下記（１）および（２）を特徴としている。
（１）  パネル貫通孔に嵌合される大径筒状のパネル嵌合部と、少なくとも先端部が自由状態において適用ワイヤーハーネスの外径よりも小径に形成された蛇腹状チューブと、を有するグロメットの前記チューブを、長手方向に収縮させた状態で拡開機により拡開させ、その状態で前記グロメットの内部に前記適用ワイヤーハーネスを挿通させた後、前記拡開機から前記グロメットおよび前記適用ワイヤーハーネスを取り外して、前記適用ワイヤーハーネス上の特定位置に前記チューブの先端部を位置決めする際に用いる位置決め治具であって、
前記適用ワイヤーハーネスの外径よりも大きい内径と前記適用ワイヤーハーネスの外径よりも小さい間口を有し、且つ、前記チューブの先端部自体の径方向収縮力に打ち勝つ強度を有して、前記チューブの先端部内周に装着される断面Ｃ字状の短尺の筒体と、
前記筒体を支持するハンドルと、
を備えること。
（２）  上記（１）の構成の位置決め治具において、
前記断面Ｃ字状の短尺の筒体の周方向中間部に、前記間口を広げる際にヒンジ作用をなす、外側に凸の断面半円形状の撓み部が設けられていること。
【０００９】
上記（１）の構成の位置決め治具によれば、位置決め治具の筒体をグロメットのチューブの先端部内周に嵌めておくことで、チューブの先端部を移動する際の同先端部のワイヤーハーネスへの密着を押さえることができるので、スムーズにチューブの先端部をワイヤーハーネス上で移動することができ、ワイヤーハーネス上の適正な位置にチューブの先端部を容易に位置決めすることができる。従って、作業者の習熟度に関係なく、また石鹸水等の潤滑剤がなくても、位置合わせを短時間で簡単に行なうことができる。
上記（２）の構成の位置決め治具によれば、位置決め治具の筒体の周方向の中間部に撓み部を設けたので、筒体を無理に変形させずに、ワイヤーハーネスから位置決め治具を取り外すことができる。
【００１０】
また、前述した目的を達成するため、本発明に係るワイヤーハーネスに対するグロメットの位置決め方法は、下記（３）を特徴としている。
（３）  パネル貫通孔に嵌合される大径筒状のパネル嵌合部と、少なくとも先端部が自由状態において適用ワイヤーハーネスの外径よりも小径に形成された蛇腹状チューブと、を有するグロメットの前記チューブを、長手方向に収縮させた状態で拡開機で拡開させるチューブ拡開工程と、
前記チューブ拡開工程にて前記チューブを拡開させた状態で、前記グロメットの内部に前記適用ワイヤーハーネスを挿通させるハーネス挿通工程と、
前記拡開機から前記グロメットおよび前記適用ワイヤーハーネスを取り外す前に、前記適用ワイヤーハーネスの外周に、当該適用ワイヤーハーネスの外径よりも大きい内径と前記適用ワイヤーハーネスの外径よりも小さい間口を有し、且つ、前記チューブの先端部自体の径方向収縮力に打ち勝つ強度を有して、前記チューブの先端部内周に装着される断面Ｃ字状の短尺の筒体と、該筒体を支持するハンドルと、を備える位置決め治具の前記筒体を装着しておく治具装着工程と、
前記グロメットに前記適用ワイヤーハーネスを挿通させた後、前記グロメットのチューブの先端部を前記位置決め治具の筒体の外周に仮嵌合させた状態で、前記拡開機から前記グロメット、前記適用ワイヤーハーネス、および前記位置決め治具の組体を取り外すチューブ仮嵌合工程と、
前記グロメットのチューブの先端部を前記位置決め治具の筒体の外周に仮嵌合させた状態で、前記位置決め治具のハンドルを把持して、前記チューブの先端部を前記位置決め治具の筒体で支持しながら前記チューブを伸長させて、前記チューブの先端部を前記適用ワイヤーハーネス上の特定位置まで相対的に移動するチューブ相対移動工程と、
前記チューブ相対移動工程後、前記チューブの先端部を丸めることで、前記位置決め治具の筒体を外に露出させ、その状態で当該筒体の間口を広げながら、前記適用ワイヤーハーネスから前記位置決め治具を取り外す治具取り外し工程と、
前記丸めたチューブの先端部を元に戻すことで、前記適用ワイヤーハーネスの外周に前記チューブの先端部を密着嵌合させるチューブ先端密着嵌合工程と、
を有すること。
【００１１】
上記（３）の構成の位置決め方法によれば、上記（１）の構成の位置決め治具を用いてグロメットのチューブの先端部の位置決めを行なうので、ワイヤーハーネス上の適正な位置にチューブの先端部を容易に位置決めすることができる。従って、作業者の習熟度に関係なく、また石鹸水等の潤滑剤がなくても、位置合わせを短時間で簡単に行なうことができる。
【発明の効果】
【００１２】
本発明によれば、ワイヤーハーネス上へのグロメットの位置決めを、石鹸水等の潤滑剤を用いることなく容易に行なうことのできるグロメットの位置決め治具、および、その治具を用いた位置決め方法を提供できる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図面に基づいて詳細に説明する。
【００１５】
図１（ａ），（ｂ），（ｃ）は実施形態の位置決め治具の構成図で、図１（ａ）は斜め側方から見た斜視図、図１（ｂ）は図１（ａ）の治具の向きを反対向きにして斜め側方から見た斜視図、そして図１（ｃ）は適用ワイヤーハーネスと位置決め治具の筒体の寸法関係を示す図である。図２〜図７は、この位置決め治具を用いてワイヤーハーネス上にグロメットを位置決めする方法の手順説明図である。
【００１６】
ここで対象とするグロメット１０は、パネル貫通孔に嵌合される大径筒状のパネル嵌合部１１と、少なくとも先端部１２ａ（図５、図７参照）が自由状態において適用ワイヤーハーネスＷの外径よりも小径に形成された長尺の蛇腹状チューブ１２と、を有するゴム製あるいは柔軟樹脂製のものである。
【００１７】
図１（ａ），（ｂ），（ｃ）に示すように、実施形態の位置決め治具２０は、チューブ１２の先端部１２ａの内周に装着される断面Ｃ字状の短尺の樹脂製の筒体２１と、該筒体２１を支持する樹脂製や木製のハンドル２３、筒対２１とハンドル２３を連結する連結金具２４と、からなる。
【００１８】
筒体２１は、適用ワイヤーハーネスＷの外径Ｄ１よりも大きい内径Ｄ２と、適用ワイヤーハーネスＷの外径Ｄ１よりも小さい間口Ｂを有し、且つ、チューブ１２の先端部１２ａ自体の径方向収縮力に打ち勝つ強度を発揮できる厚みを有している。また、筒体２１の周方向中間部には、間口Ｂを広げる際にヒンジ作用をなす外側に凸の断面半円形状の撓み部２２が設けられている。
【００１９】
次に、この位置決め治具２０を用いて、ワイヤーハーネスＷ上にグロメット１０を位置決めする方法について説明する。
【００２０】
まず、図２に示すように、ワイヤーハーネスＷを位置決め治具２０の筒体２１に通す。次に、図３に示すように、チューブ１２を長手方向に収縮させた状態で、グロメット１０を拡開機１にセットし、拡開爪２でチューブ１２を拡開させる。次に、図４に示すように、チューブ１２を拡開させた状態で、グロメット１０の内部にワイヤーハーネスＷを挿通させる。挿通させたら、拡開機１からグロメット１０、ワイヤーハーネスＷ、および位置決め治具２０の仮の組体を取り外す。そうすることにより、図５に示すように、グロメット１０のチューブ１２の先端部１２ａが位置決め治具２０の筒体２１の外周に仮嵌合する。
【００２１】
この状態では、筒体２１によって、チューブ１２の先端部１２ａのワイヤーハーネスＷへの直接の密着を阻止することができるので、スムーズにチューブ１２の先端部１２ａをワイヤーハーネスＷ上で移動することができる。従って、位置決め治具２０のハンドル２３を把持して、チューブ１２の先端部１２ａを筒体２１で支持しながら、チューブ１２を伸長させて、チューブ１２の先端部１２ａをワイヤーハーネスＷ上の特定位置まで相対的に移動させる。
【００２２】
適正位置まで移動させたら、図６に示すように、チューブ１２の先端部１２ａを基端側に丸めることで、位置決め治具２０の筒体２１を外に露出させる。次いで、図７に示すように、その状態で筒体２１の間口Ｂを広げながら、ワイヤーハーネスＷから位置決め治具２０を取り外し、丸めたチューブ１２の先端部１２ａを元に戻すことで、ワイヤーハーネスＷの外周にチューブ１２の先端部１２ａを密着嵌合させ、その後、テーピング作業に移る。
【００２３】
以上により、グロメット１０の位置決めを行なうことができる。従って、ワイヤーハーネスＷ上の適正な位置にチューブ１２の先端部１２ａを容易に位置決めすることができ、作業者の習熟度に関係なく、また石鹸水等の潤滑剤がなくても、位置合わせを短時間で簡単に行なうことができる。
【００２４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２５】
例えば、位置決め治具２０の筒体２１をセットするのは、拡開機１からグロメット１０およびワイヤーハーネスＷを取り外す前の段階であれば、どの段階でセットしてもよい。
【００２６】
また、ワイヤーハーネスＷへのチューブ１２の位置決めは、位置決め治具２０側を動かして行なってもよいし、ワイヤーハーネスＷ側を動かして行なってもよい。
【図面の簡単な説明】
【００２７】
【図１】本発明の実施形態の位置決め治具の構成図で、（ａ）は斜め側方から見た斜視図、（ｂ）は（ａ）の治具の向きを反対向きにして斜め側方から見た斜視図、（ｃ）は適用ワイヤーハーネスと位置決め治具の筒体の寸法関係を示す図である。
【図２】図１の位置決め治具を用いてワイヤーハーネス上にグロメットを位置決めする方法の手順説明のための工程図である。
【図３】図２の次の工程図である。
【図４】図３の次の工程図である。
【図５】図４の次の工程図である。
【図６】図５の次の工程図である。
【図７】図６の次の工程図である。
【図８】従来のグロメットの位置決め方法の手順説明のための工程図である。
【図９】図８の次の工程図である。
【図１０】図９の次の工程図である。
【符号の説明】
【００２８】
１：拡開機
１０：グロメット
１１：パネル嵌合部
１２：チューブ
１２ａ：先端部
２０：位置決め治具
２１：筒体
２２：撓み部
２３：ハンドル
【図１】
2008042968.tif 000003
【図２】
2008042968.tif 000004
【図３】
2008042968.tif 000005
【図４】
2008042968.tif 000006
【図５】
2008042968.tif 000007
【図６】
2008042968.tif 000008
【図７】
2008042968.tif 000009
【図８】
2008042968.tif 000010
【図９】
2008042968.tif 000011
【図１０】
2008042968.tif 000012